(57)【特許請求の範囲】
【請求項１】
圧縮機及び熱源側熱交換器を備えた熱源側ユニットと、利用側熱交換器を備えた複数の利用側ユニットと、前記利用側熱交換器と同一の冷媒系統に属し、前記複数の利用側ユニットよりも前記熱源側ユニットの近くに設置され、蓄熱用熱交換器を備えた蓄熱ユニットと、この蓄熱ユニット及び複数の利用側ユニットに冷媒を供給し、蓄熱用熱交換器及び各利用側熱交換器の内、温度変化が生じた熱交換器を有するユニットに対して順に制御用アドレスを設定する自動アドレス設定装置とを備えた空気調和装置において、
この自動アドレス設定時に、前記利用側熱交換器および前記蓄熱用熱交換器に同時に前記冷媒を供給し、上記蓄熱ユニットのアドレスが設定された後、この蓄熱ユニットにそれ以上の冷媒が供給されないように、この蓄熱ユニットへの冷媒供給を遮断し、前記利用側熱交換器への前記冷媒の供給を継続する制御手段を備えたことを特徴とする空気調和装置。
【請求項２】
上記制御手段が上記圧縮機の吐出管と上記蓄熱用熱交換器との間に接続された制御弁を含み、前記制御弁を閉じることにより前記蓄熱ユニットへの冷媒供給を遮断することを特徴とする請求項１記載の空気調和装置。
【発明の詳細な説明】
【０００１】
【発明の属する技術分野】
本発明は、蓄熱ユニットを備えた空気調和装置に関する。
【０００２】
【従来の技術】
一般に、圧縮機及び熱源側熱交換器を備えた熱源側ユニットと、利用側熱交換器を備えた複数の利用側ユニットと、蓄熱用熱交換器を備えた蓄熱ユニットとを備えた空気調和装置が知られている。この蓄熱ユニットは、例えば氷蓄熱用に利用され、水槽としての蓄熱槽を含み、この蓄熱槽中に上記蓄熱用熱交換器を水没させて構成されている。この種の空気調和装置において、蓄熱ユニット及び複数の利用側ユニットに制御用のアドレスを設定する場合、まず、蓄熱ユニット及び複数の利用側ユニットに冷媒を供給し、蓄熱用熱交換器及び各利用側熱交換器の内、温度変化が生じた熱交換器を有するユニットに対して順に制御用アドレスを設定する。この場合、熱交換器に対し大きな温度変化が発生するように、暖房運転をおこないながらアドレス設定するのが一般的である。
【０００３】
【発明が解決しようとする課題】
しかしながら、従来の構成では、蓄熱槽内に氷、或いは水温の低い水が満たされている場合、蓄熱ユニットに供給される冷媒が蓄熱用熱交換器に寝込み、その結果利用側ユニットに供給される冷媒量が減少し、その熱交換器に温度変化が生じ難くなり、アドレス設定に時間がかかるという問題がある。
【０００４】
そこで、本発明の目的は、上述した従来技術が有する課題を解消し、アドレス設定を短時間でおこなうことができる空気調和装置を提供することにある。
【０００５】
【課題を解決するための手段】
請求項１記載の発明は、圧縮機及び熱源側熱交換器を備えた熱源側ユニットと、利用側熱交換器を備えた複数の利用側ユニットと、前記利用側熱交換器と同一の冷媒系統に属し、前記複数の利用側ユニットよりも前記熱源側ユニットの近くに設置され、蓄熱用熱交換器を備えた蓄熱ユニットと、この蓄熱ユニット及び複数の利用側ユニットに冷媒を供給し、蓄熱用熱交換器及び各利用側熱交換器の内、温度変化が生じた熱交換器を有するユニットに対して順に制御用アドレスを設定する自動アドレス設定装置とを備えた空気調和装置において、
この自動アドレス設定時に、前記利用側熱交換器および前記蓄熱用熱交換器に同時に前記冷媒を供給し、上記蓄熱ユニットのアドレスが設定された後、この蓄熱ユニットにそれ以上の冷媒が供給されないように、この蓄熱ユニットへの冷媒供給を遮断し、前記利用側熱交換器への前記冷媒の供給を継続する制御手段を備えたことを特徴とするものである。
【０００６】
請求項２記載の発明は、上記制御手段が上記圧縮機の吐出管と上記蓄熱用熱交換器との間に接続された制御弁を含み、前記制御弁を閉じることにより前記蓄熱ユニットへの冷媒供給を遮断することを特徴とするものである。
【０００７】
本発明では、制御用アドレスの設定時に、利用側熱交換器および蓄熱用熱交換器に同時に冷媒を供給し、複数の利用側ユニットよりも熱源側ユニットの近くに設置されることにより、より多くの冷媒が供給される蓄熱ユニットのアドレスが設定された後、本制御手段を通じて、この蓄熱ユニットにそれ以上の冷媒が供給されないように、この蓄熱ユニットへの冷媒供給を遮断し、利用側熱交換器への冷媒の供給を継続する。従って、冷媒は複数の利用側熱交換器側に向かい、この利用側熱交換器への冷媒供給量が確保される。
【０００８】
これによれば、短時間の内に、各利用側熱交換器に温度変化が発生し、アドレス設定に要する時間が短縮される。
【０００９】
【発明の実施の形態】
以下、本発明の実施の形態を図面に基づいて説明する。
【００１０】
図１において、１は室外ユニット（熱源側ユニット）を示す。この室外ユニット１には、圧縮機２と、四方弁３と、図示しない室外ファンによって熱交換作用を行う空冷の室外熱交換器（熱源側熱交換器）４と、気液分離機器７とが内蔵されこれら機器は配管でつながれている。
【００１１】
８はユニット間配管９を構成する液管１０Ａにつながれる液側接続口であり、１１はユニット間配管９を構成するガス管１０Ｂにつながれるガス側接続口である。１２は吐出専用口であり、圧縮機２の吐出管から分岐した吐出専用配管１３につながれている。１４は吸込専用口で、圧縮機２の吸込管から分岐した吸込専用配管１５につながれている。このように吐出専用口１２（吐出専用配管１３）、吸込専用口１４（吸込専用配管１５）は、ユニット間配管９を構成する液管１０Ａ並びにガス管１０Ｂにつながれる、液並びにガス側の接続口８，１１とは別個に設けられている。上記室外ユニット１と室内ユニット（利用側ユニット）１６Ａ，１６Ｂとの間には、氷蓄熱ユニット（蓄熱ユニット）１９がつながれている。室内ユニット１６には、室内熱交換器１７が内蔵されている。また、氷蓄熱ユニット１９には、氷蓄熱用熱交換器（蓄熱用熱交換器）２０が内蔵されており、この氷蓄熱用熱交換器２０は水槽としての蓄熱槽２０Ａ内に水没されている。
【００１２】
この氷蓄熱ユニット１９において、５は膨張弁、６はレシーバタンクであり、これらは蓄熱用熱交換器２０一端と室外熱交換器４とをつなぐ配管に設けられている。蓄熱用熱交換器２０の他端は二方向に分岐し、一方は本実施形態の要部である吐出弁（第１開閉弁）２２を介して吐出専用配管１３につながれ、他方は第２開閉弁２５を介して吸込専用配管１５につながれている。また、室内ユニット１６側から延びる液管１０Ａは、氷蓄熱ユニット１９内で分岐し、一方は膨張弁３０を介して蓄熱用熱交換器２０とレシーバタンク６との間につながれ、他方はレシーバタンク６に直接つながれている。膨張弁４０はこのレシーバタンク６と蓄熱用熱交換器２０とをつなぐ配管に設けられている。
【００１３】
この空調システムにおいては、夏の夜などに、冷房運転を停止して氷蓄熱ユニット１９を利用して氷蓄熱を行う。
【００１４】
即ち、圧縮機２から吐出された冷媒は、図２の実線矢印で示すように、四方弁３、室外熱交換器４、受液器６、膨張弁５、氷蓄熱用熱交換器２０、第２開閉弁２５、気液分離器７、圧縮機２にと戻るように繰り返して循環する。これによって、室外熱交換器４が凝縮器、氷蓄熱用熱交換器２０が蒸発器としてして作用する。言い換えれば、蓄熱槽２０Ａ内に空冷で氷蓄熱される。
【００１５】
この氷蓄熱された状態において、夏の昼は冷房運転を行う。
【００１６】
即ち、氷蓄熱ユニット１９を用いた冷房運転時は、圧縮機２から吐出された冷媒が、図３の実線矢印で示すように、第１開閉弁２２、蓄熱熱交換器２０、膨張弁３０、室内熱交換器１７、四方弁３、気液分離器７、圧縮機２にと戻るように繰り返して循環する。これによって、氷蓄熱用熱交換器２０が凝縮器、室内熱交換器１７が蒸発器として作用し、室内の冷房を行う。
【００１７】
ここで、氷蓄熱ユニット１９の熱を使い切ってしまった場合は、第１開閉弁２２を閉じて氷蓄熱ユニット１９の使用を停止する。これによって、圧縮機２から吐出された冷媒は、破線矢印で示すように、四方弁３、室外熱交換器４、レシーバタンク６、膨張弁５（全開）、膨張弁３０（制御）、室内熱交換器１７、四方弁３、気液分離器７、圧縮機２にと戻るように繰り返して循環する。このように、氷蓄熱と空冷熱交換器（室外熱交換器）の併用によって、約４０％の消費電力の節電が図られると考えれれる。
【００１８】
一方、冬の夜などに、暖房運転を停止し、氷蓄熱ユニット１９を利用して、温水蓄熱をおこなうことができる。
【００１９】
即ち、圧縮機２から吐出された冷媒は、図４の実線矢印で示すように、第１開閉弁２２、蓄熱用熱交換器２０、膨張弁５、受液器６、室外熱交換器４、四方弁３、気液分離器７、圧縮機２にと戻るように繰り返して循環する。この場合、室外熱交換器４が蒸発器として機能し、蓄熱用熱交換器２０が凝縮器として機能して、蓄熱槽２０Ａ内に温水蓄熱される。
【００２０】
冬の昼は、この温水蓄熱を利用して暖房運転を行う。
【００２１】
即ち、氷蓄熱ユニット１９を用いた暖房運転時は、圧縮機２から吐出された冷媒が、図４の破線矢印で示すように、四方弁３、室内熱交換器１７、膨張弁４０、氷蓄熱用熱交換器２０、膨張弁５（全開）、レシーバタンク６、室外熱交換器４、四方弁３、気液分離器７、圧縮機２にと戻るように繰り返して循環する。これによって、室内熱交換器１７が凝縮器、氷蓄熱用熱交換器２０が蒸発器としてして作用し、室内の暖房を行う。
【００２２】
ここで、氷蓄熱ユニット１９を利用した暖房運転はその氷蓄熱ユニット１９の持つ熱エネルギーによって決まるのであるが、およそ１０時間程度と考えられる。従ってこの氷蓄熱ユニット１９を利用した暖房運転が１０時間を越えたら、膨張弁４０を閉じて膨張弁５の開度を制御して、氷蓄熱用熱交換器２０の使用を停止する。これによって、室内熱交換器１７からの冷媒は、膨張弁３０，５を介してレシーバタンク６、室外熱交換器４、四方弁３、気液分離器７、圧縮機２にと戻るように繰り返して循環する。
【００２３】
これによって、室内熱交換器１７が凝縮器、室外熱交換器４が蒸発器として作用し、室内の暖房を行う。このように、蓄熱と空冷熱交換器（室外熱交換器４）の併用によって、室内の暖房を行う。
【００２４】
本実施形態では、この空気調和装置を建屋に設置した段階で、暖房運転モードを選択し、その上で、蓄熱ユニット１９及び複数の室内ユニット１６Ａ，１６Ｂに冷媒を供給し、蓄熱用熱交換器２０及び各室内熱交換器１７Ａ，１７Ｂの内、温度変化が生じた熱交換器を有するユニット１９，１６Ａ，１６Ｂに対して順に制御用アドレスを設定する。暖房運転モードを選択した場合、熱交換器に対し大きな温度変化が発生するからである。
【００２５】
この自動アドレス設定モードでは、図５を参照し、圧縮機２から吐出された冷媒は、実線矢印で示すように、第１開閉弁２２、蓄熱用熱交換器２０、膨張弁５、レシーバタンク６、室外熱交換器４、四方弁３、気液分離器７、圧縮機２にと戻るように繰り返して循環する。それと同時に、圧縮機２から吐出された冷媒は、破線矢印で示すように、四方弁３、室内熱交換器１７、膨張弁３０，５（膨張弁３０は全開）、レシーバタンク、室外熱交換器４、四方弁３、気液分離器７、圧縮機２にと戻るように繰り返して循環する。
【００２６】
このように冷媒を流しながら、蓄熱用熱交換器２０及び各利用側熱交換器１７Ａ，１７Ｂに設置された温度センサ１０１〜１０３（図５）によって、各熱交換器の温度を検出し、その温度変化を監視する。そして、温度変化が生じた熱交換器を有するユニット１９，１６Ａ，１６Ｂに対して順に制御用アドレスを設定する。このアドレス設定は制御手段１００（図５）が司る。
【００２７】
この種の空気調和装置では、蓄熱ユニット１９が、複数の利用側ユニット１６Ａ，１６Ｂよりも、熱源側ユニット１の近くに設置されるのが一般的である。そのため、接続用配管の配管長等の影響をうけて、複数の利用側ユニット１６Ａ，１６Ｂよりも、蓄熱ユニット１９により多くの冷媒が供給される。この場合、蓄熱槽２０Ａ内に氷、或いは水温の低い水が満たされていると、蓄熱ユニット１９に供給される冷媒が蓄熱用熱交換器２０に寝込み、その結果利用側ユニット１６Ａ，１６Ｂに供給される冷媒量が減少し、その熱交換器１７Ａ，１７Ｂに温度変化が生じ難くなり、アドレス設定に時間がかかる。
【００２８】
本実施形態では、制御用アドレスの設定時に、まず、蓄熱ユニット１９に多量の冷媒が供給され、その熱交換器２０に温度変化が現れる。すると、制御手段１００はこの熱交換器２０に対し、例えばアドレス「１」を設定する。
【００２９】
ついで、氷蓄熱ユニット１９の第１開閉弁（制御弁）２２が閉じられ、蓄熱用熱交換器２０への冷媒供給が遮断される。
【００３０】
すると、それ以降の冷媒供給が停止され、冷媒は、複数の利用側熱交換器１７Ａ，１７Ｂに向かい、室内ユニット１６Ａ，１６Ｂへの十分な冷媒供給量が確保される。そして、例えば利用側熱交換器１７Ａに温度変化が現れたら、制御手段１００はこの室内ユニット１６Ａに対し、例えばアドレス「２」を設定し、つぎに、利用側熱交換器１７Ｂに温度変化が現れたら、制御手段１００はこの室内ユニット１６Ｂに対し、例えばアドレス「３」を設定する。
【００３１】
本実施形態では、蓄熱用熱交換器２０に対しアドレスが設定された場合、氷蓄熱ユニット１９の第１開閉弁（制御弁）２２が閉じられ、蓄熱用熱交換器２０への冷媒供給が遮断されるため、それ以降の冷媒供給が停止されて、冷媒が蓄熱用熱交換器２０に寝込むことがなくなる。
【００３２】
その結果、利用側ユニット１６Ａ，１６Ｂに供給される冷媒量が増加し、その熱交換器１７Ａ，１７Ｂに温度変化が生じ易くなるため、短時間の内に、アドレス設定をおこなうことができる。
【００３３】
以上、一実施形態に基づいて本発明を説明したが、本発明は、これに限定されるものでないことは明らかである。
【００３４】
【発明の効果】
本発明では、短時間の内に、各利用側熱交換器に温度変化が発生し、アドレス設定に要する時間が短縮される。
【図面の簡単な説明】
【図１】本発明の一実施形態を示す冷媒回路である。
【図２】本発明による夏の夜の運転状態を示す冷媒回路である
【図３】本発明による夏の昼の運転状態を示す冷媒回路である。
【図４】本発明による冬の運転状態を示す冷媒回路である。
【図５】自動アドレス設定時の運転状態を示す冷媒回路である。
【符号の説明】
１  室外ユニット（熱源側ユニット）
２  圧縮機
４  室外熱交換器（熱源側熱交換器）
１６  室内ユニット（利用側ユニット）
１７  室内熱交換器（利用側熱交換器）
１９  氷蓄熱ユニット（蓄熱ユニット）
２０  氷蓄熱用熱交換器（蓄熱用熱交換器）
１００  制御手段
【図１】
0003998423.tif 000002
【図２】
0003998423.tif 000003
【図３】
0003998423.tif 000004
【図４】
0003998423.tif 000005
【図５】
0003998423.tif 000006